(57)【要約】【課題】不使用時にフックが跳上がって収納位置に保持されることにより、移動中の物品が意図せずにフックに接触することがなく、また点滴用包装容器をフックから外すときに、ダンパがフックの跳上げ速度を減衰させることにより、フックに触れずに、点滴用包装容器を片手でフックから容易にかつ速やかに外すことが可能となる。【解決手段】壁面１２にベース１３が取付けられ、壁面１２に平行であって水平方向に延びる支軸１４が上記ベース１３に取付けられる。また基端部１６ａが支軸１４を介してベース１３に枢着されたフック１６の先端部に点滴用包装容器１１を吊下げための引っ掛け部１６ｂが形成される。更に引っ掛け部１６ｂから点滴用包装容器１１を外したときに弾性体１７がフック１６を跳上げる方向に付勢し、フック１６の跳上げ速度がダンパ１８により減衰されるように構成される。【選択図】図１
0003133686.tif 000002
【実用新案登録請求の範囲】
【請求項１】
壁面(12)に取付けられるベース(13)と、
前記ベース(13)に取付けられ前記壁面(12)に平行であって水平方向に延びる支軸(14)と、
基端部(16a)が前記支軸(14)を介して前記ベース(13)に枢着され先端部に点滴用包装容器(11)を吊下げための引っ掛け部(16b)が形成されたフック(16)と、
前記引っ掛け部(16b)から前記点滴用包装容器(11)を外したときに前記フック(16)を跳上げる方向に付勢する弾性体(17)と、
前記フック(16)の跳上げ速度を減衰させるダンパ(18)と
を備えた点滴用包装容器の吊下げ具。
【請求項２】
ダンパ(18)が、支軸(14)に嵌入されフック(16)とともに回動する第１歯車(18a)と、前記第１歯車(18a)に噛合しベース(13)に回動可能に取付けられた第２歯車(18b)と、前記第２歯車(18b)の回動に対して抵抗を付与する減衰手段(18c)とを有する請求項１記載の点滴用包装容器の吊下げ具。
【請求項３】
引っ掛け部(16b)に点滴用包装容器(11)を引っ掛けたフック(16)の位置を使用位置とし、前記引っ掛け部(16b)から前記点滴用包装容器(11)を外して弾性体(17)の弾性力により跳上がった前記フック(16)の位置を収納位置とするとき、前記使用位置から前記収納位置に達するまでの時間が２〜４秒間となるようにダンパ(18)が調整された請求項１又は２記載の点滴用包装容器の吊下げ具。
【考案の詳細な説明】
【技術分野】
【０００１】
本考案は、点滴液を貯留したプラスチック製又はガラス製の包装容器を引っ掛けて吊下げるためのフックを有する吊下げ具に関するものである。
【背景技術】
【０００２】
従来、この種の吊下げ具として、取付部材と、フック部材と、ロックリングからなり、取付部材が、病室の天井に固定されるベース部と、このベース部に下向きに設けられた連結部とを有し、フック部材が、フックと、このフックの上端に設けられたフック頭部とを有し、ロックリングが取付部材の外周面に嵌合されるように筒状に形成された点滴用吊下げ具が開示されている（例えば、特許文献１参照。）。この点滴用吊下げ具では、連結部に、筒状に配列された複数の連結片が縮径可能な弾性をもって形成され、各連結片の下端部内周面に内周係合突条が形成される。また連結片の外周面に、所定の径のロック外周面と、このロック外周面より上方にこれより小径のアンロック外周面とが形成され、フック頭部の外周面に連結片の内周係合突条と相互に係合する外周係合溝が形成される。更に上記フック部材のフック頭部を取付部材の連結部に挿入して、フック頭部の外周係合溝と連結部の内周係合突条を相互に係合させ、上記連結部の外周に上下動自在に嵌入したロックリングが、そのロック内周面を連結部のロック外周面に嵌合させたロック状態と、そのロック内周面をアンロック外周面に嵌合させたアンロック状態とに選択的に移動可能に構成される。このように構成された点滴用吊下げ具では、フック部材を連結部に挿入し、ロックリングを下方に移動させるという簡単な操作で、極めて短時間に天井に固定された取付部材にフック部材を取付けることができるようになっている。
【０００３】
一方、第１フック形成部材と第２フック形成部材とを含み、これらの第１及び第２フック形成部材が略水平面に沿って相対回転可能に連結されたフックが開示されている（例えば、特許文献２参照。）。このフックでは、第２フック形成部材を挿入することにより第２フック形成部材を第１フック形成部材と一体化させる挿入部が第１フック形成部材に形成され、第１フック形成部材と第２フック形成部材が、相対回転方向に沿う所定位置で相対回転が規制される一方、挿入部に対して第２フック形成部材を移動させることにより相対回転の規制が解除されるように構成される。即ち、挿入部の回りの凹状部が形成される一方、第２フック形成部材に凹状部に収容される突出部が形成され、凹状部に突出部が収容されることで、第１及び第２フック形成部材の相対回転が記載されるように構成される。このように構成されたフックでは、所定の位置で相対回転が規制されるので、点滴薬等の袋容器を保持したときに、袋容器に示される患者情報等の表示面が意図しない方向に向いてしまうことはない。この結果、表示面を常に見やすい状態に保つことができるので、投薬ミス等を未然に防止できるようになっている。
【特許文献１】特開２０００−２４０８２号公報（請求項１、段落［００２６］）
【特許文献２】特開２００６−９５０３４号公報（請求項１及び４、段落［００１４］）
【考案の開示】
【考案が解決しようとする課題】
【０００４】
しかし、上記従来の特許文献１に示された点滴用吊下げ具やフックでは、点滴用袋や袋容器をフックに吊下げていないときも、フックが突出した状態に保たれているため、移動中の物品が意図せずにフックに引っ掛かってしまうおそれがあった。
【０００５】
本考案の目的は、不使用時にフックが跳上がって収納位置に保持されることにより、移動中の物品が意図せずにフックに接触することがなく、また点滴用包装容器をフックから外すときに、ダンパがフックの跳上げ速度を減衰させることにより、フックに触れずに、点滴用包装容器を片手でフックから容易にかつ速やかに外すことができる、点滴用包装容器の吊下げ具を提供することにある。本考案の別の目的は、ダンパを極めてコンパクトに構成することにより、大型化を防止できる、点滴用包装容器の吊下げ具を提供することにある。
【課題を解決するための手段】
【０００６】
請求項１に係る考案は、図１及び図２に示すように、壁面１２に取付けられるベース１３と、ベース１３に取付けられ壁面１２に平行であって水平方向に延びる支軸１４と、基端部１６ａが支軸１４を介してベース１３に枢着され先端部に点滴用包装容器１１を吊下げための引っ掛け部１６ｂが形成されたフック１６と、引っ掛け部１６ｂから点滴用包装容器１１を外したときにフック１６を跳上げる方向に付勢する弾性体１７と、フック１６の跳上げ速度を減衰させるダンパ１８とを備えた点滴用包装容器の吊下げ具である。この請求項１に記載された点滴用包装容器の吊下げ具では、フック１６に点滴用包装容器１１を吊下げていないとき、フック１６は弾性体１７の弾性力により跳上げられるので、ある物品をフック１６の近傍で移動させても、この物品が意図せずにフック１６に接触することがない。またフック１６に吊下げた点滴用包装容器１１をフック１６から外すとき、ダンパ１８がフック１６の跳上げ速度を減衰させるので、一方の手でフック１６の跳上がりを阻止した状態で他方の手で点滴用包装容器１１を外すという両手を用いた操作を行わずに、即ちフック１６に触れずに、点滴用包装容器１１を片手でフック１６から容易にかつ速やかに外すことができる。
【０００７】
請求項２に係る考案は、請求項１に係る考案であって、更に図１及び図２に示すように、ダンパ１８が、支軸１４に嵌入されフック１６とともに回動する第１歯車１８ａと、第１歯車１８ａに噛合しベース１３に回動可能に取付けられた第２歯車１８ｂと、第２歯車１８ｂの回動に対して抵抗を付与する減衰手段１８ｃとを有することを特徴とする。この請求項２に記載された点滴用包装容器の吊下げ具では、ダンパ１８を極めてコンパクトに構成できるので、吊下げ具１０の大型化を防止できる。
【０００８】
請求項３に係る考案は、請求項１又は２に係る考案であって、更に図１及び図２に示すように、引っ掛け部１６ｂに点滴用包装容器１１を引っ掛けたフック１６の位置を使用位置とし、引っ掛け部１６ｂから点滴用包装容器１１を外して弾性体１７の弾性力により跳上がったフック１６の位置を収納位置とするとき、使用位置から収納位置に達するまでの時間が２〜４秒間となるようにダンパ１８が調整されたことを特徴とする。この請求項３に記載された点滴用包装容器の吊下げ具では、フック１６が使用位置から収納位置に達するまでに比較的長い時間を要するので、この間に、フック１６に触れずに、点滴用包装容器１１を片手でフック１６から確実に外すことができる。
【考案の効果】
【０００９】
本考案によれば、壁面にベースを取付け、壁面に平行であって水平方向に延びる支軸をベースに取付け、基端部が支軸を介してベースに枢着されたフックの先端部に点滴用包装容器を吊下げための引っ掛け部を形成し、引っ掛け部から点滴用包装容器を外したときに弾性体がフックを跳上げる方向に付勢し、更にフックの跳上げ速度をダンパが減衰させるように構成したので、フックに点滴用包装容器を吊下げていないとき、フックは弾性体の弾性力により跳上げられる。この結果、ある物品をフックの近傍で移動させても、この物品が意図せずにフックに接触することはない。またフックに吊下げた点滴用包装容器をフックから外すとき、ダンパがフックの跳上げ速度を減衰させるので、フックに触れずに、点滴用包装容器を片手でフックから容易にかつ速やかに外すことができる。
【００１０】
またダンパの第１歯車をフックとともに回動するように支軸に嵌入し、第１歯車に噛合する第２歯車をベースに回動可能に取付け、第２歯車の回動に対して減衰手段が抵抗を付与すれば、ダンパを極めてコンパクトに構成できるので、吊下げ具の大型化を防止できる。更にフックの使用位置から収納位置に達するまでの時間が２〜４秒間となるようにダンパを調整すれば、フックが使用位置から収納位置に達するまでに比較的長い時間を要するので、この間に、フックに触れずに、点滴用包装容器を片手でフックから確実に外すことができる。
【考案を実施するための最良の形態】
【００１１】
次に本考案を実施するための最良の形態を図面に基づいて説明する。図１及び図２に示すように、点滴用包装容器１１の吊下げ具１０は、壁面１２に取付けられるベース１３と、ベース１３に取付けられた支軸１４と、基端部１６ａが支軸１４を介してベース１３に枢着されたフック１６と、フック１６を跳上げる方向に付勢する弾性体１７と、フック１６の跳上げ速度を減衰させるダンパ１８とを備える。点滴用包装容器１１は点滴液を貯留したプラスチック製又はガラス製の包装容器であり、フック１６に吊下げ可能に構成される。またベース１３はこの実施の形態ではステンレス鋼板等の金属板を折曲げることにより形成され、鉛直方向に延びる壁面１２に密着しビス１９により壁面１２に取付けられる基部１３ａと、基部１３ａの両側に連設され壁面１２から離れる方向に起立する互いに平行な一対の側片１３ｂ，１３ｃとを有する。支軸１４は、壁面１２に平行であって水平方向に延びるように、その両端がベース１３の一対の側片１３ｂ，１３ｃに回動可能に取付けられる。
【００１２】
一方、フック１６はステンレス鋼棒等の金属棒を曲げることにより形成される。フック１６の基端部１６ａは直線状に形成され、フック１６の先端部には所定の曲率半径で湾曲する略半円状に形成された引っ掛け部１６ｂが形成される。この引っ掛け部１６ｂは点滴用包装容器１１を吊下げるために形成される。またフック１６の基端部１６ａは支軸１４の中央に嵌着される。弾性体１７はこの実施の形態では捩りコイルばねである。この捩りコイルばね１７は、ベース１３の一方の側片１３ｂとフック１６の基端部１６ａとの間の支軸１４に遊嵌されるコイル部１７ａと、コイル部１７ａの一端に連設され第１歯車１８ａに係合する第１腕部１７ｂと、コイル部１７ａの他端に連設されベース１３に係合する第２腕部１７ｃとを有する。上記捩りコイルばね１７はフック１６の引っ掛け部１６ｂから点滴用包装容器１１を外したときにフック１６を跳上げる方向に付勢するように構成される。
【００１３】
ダンパ１８は、支軸１４に嵌入された平歯車からなる第１歯車１８ａと、第１歯車１８ａに噛合しベース１３に回動可能に取付けられた平歯車からなる第２歯車１８ｂと、第２歯車１８ｂの回動に対して抵抗を付与する減衰手段１８ｃとを有する。第１歯車１８ａはベース１３の他方の側片１３ｃとフック１６の基端部１６ａとの間の支軸１４に嵌入されるとともに、フック１６の基端部１６ａを挟持するように構成される。これにより第１歯車１８ａは支軸１４及びフック１６とともに回動するように構成される。また減衰手段１８ｃはベース１３の他方の側片１３ｃ内面に取付けられる。この減衰手段１８ｃはオイルの粘性抵抗により発生する制動力を利用した回転系の減衰手段であり、支軸１４と平行に延びるようにケース１８ｄに回動可能に挿入されたロータ軸（図示せず）と、ケース１８ｄに収容されロータ軸の外周面に放射状に延びる複数のロータ板（図示せず）と、上記ケース１８ｄ内に充填されたシリコーンオイル（図示せず）とを有する。第２歯車１８ｂはケース１８ｄから突出したロータ軸の端部に設けられる。
【００１４】
更に上記引っ掛け部１６ｂに点滴用包装容器１１を引っ掛けたフック１６の位置を使用位置（図１の実線で示した位置）とし、引っ掛け部１６ｂから点滴用包装容器１１を外して捩りコイルばね１７の弾性力により跳上がったフック１６の位置を収納位置（図１の二点鎖線で示した位置）とするとき、上記使用位置から収納位置に達するまでの時間が２〜４秒間、好ましくは２〜３秒間となるようにダンパ１８の減衰手段１８ｃが調整される。具体的には、フック１６が使用位置から収納位置に達するまでの時間は減衰手段１８ｃのシリコーンオイルの粘度、ロータ板の枚数、ロータ板及びケース１８ｄ間の隙間等により調整される。ここで、フック１６が使用位置から収納位置に達するまでの時間を２〜４秒間の範囲内に限定したのは、２秒未満では点滴用包装容器１１を片手で外す前にフック１６が収納位置に達してしまう場合があり、４秒を越えると点滴用包装容器１１を片手で外した後もフック１６が使用位置及び収納位置間に暫く位置して移動中のある物品が意図せずにフック１６に接触してしまうおそれがあるからである。
【００１５】
なお、図１及び図２中の符号２１はベース１３の全部とフック１６の基端部１６ａの一部を覆う樹脂製のカバーである。このカバー２１は、伏せ椀状に形成されたカバー本体２１ａと、このカバー本体２１ａの中央に鉛直方向に延びる凹部２１ｂと、凹部２１ｂの下部に形成されフック１６の基端部１６ａが遊挿される通孔２１ｃと、カバー本体２１ａの上端内面に形成されベース１３の基部１３ａの上端に係止する係止片２１ｄとを有する。上記凹部２１ｂには、収納位置にあるフック１６の基端部１６ａの残部と引っ掛け部１６ｂの一部が収容されるように構成される（図１）。また図１及び図２中の符号１３ｄはフック１６が使用位置より下方に回転しないように使用位置でフック１６を一時的に固定する第１ストッパであり、符号１３ｅはフック１６が収納位置より上方に回転しないように収納位置でフック１６を一時的に固定する第２ストッパである。更に図１及び図２中の符号１６ｃはフック１６の引っ掛け部１６ｂの先端に形成され引っ掛け部１６ｂの湾曲方向とは反対方向に湾曲させた逆湾曲部である。このように引っ掛け部１６ｂの先端に逆湾曲部１６ｃを形成することにより、フック１６が収納位置にあるときに、フック１６の先端が壁面１２から所定の間隔をあけて上方に向くように構成される。
【００１６】
このように構成された点滴用包装容器１１の吊下げ具１０の動作を説明する。フック１６が収納位置にある状態で、点滴用包装容器１１をフック１６に引っ掛けるとき、引っ掛け部１６ｂの先端の逆湾曲部１６ｃの存在によりフック１６の先端が壁面１２から所定の間隔をあけて上方に向いた状態であるので、フック１６に触れずに、点滴用包装容器１１を片手でフック１６に比較的容易に引っ掛けることができる。点滴用包装容器１１をフック１６に引っ掛けると、フック１６は点滴用包装用容器１１の自重により捩りコイルばね１７の弾性力に抗して使用位置まで回転する。一方、フック１６に吊下げた点滴用包装容器１１をフック１６から外すとき、ダンパ１８の減衰手段１８ｃがフック１６の跳上げ速度を減衰させるので、フック１６が急激に収納位置まで回転せずに徐々に回転する。また引っ掛け部１６ｂの先端の逆湾曲部１６ｃの存在により、点滴用包装容器１１をフック１６から外しやすい方向にフック１６の先端が湾曲している。この結果、フック１６に触れずに、点滴用包装容器１１を片手でフック１６から容易にかつ速やかに外すことができる。点滴用包装容器１１をフック１６から外すと、フック１６は捩りコイルばね１７の弾性力により跳上げられて収納位置まで回転する。このとき、フック１６が壁面１２からあまり突出していない収納位置にあるので、ある物品をフック１６の近傍で移動させても、この物品が意図せずにフック１６に接触することはない。
【００１７】
なお、上記実施の形態では、支軸をベースの一対の側片に回動可能に取付け、フックの基端部を支軸の中央に嵌着したが、支軸をベースの一対の側片に回動不能に取付け、フックの基端部を支軸の中央に回動可能に嵌入してもよい。この場合、第１歯車は支軸に対して回動可能であってフックに対して回動不能に構成される。また、上記実施の形態では、ベースを金属板を折曲げて形成したが、アルミダイカスト又は樹脂成形により形成してもよい。更に、上記実施の形態では、弾性体として捩りコイルばねを挙げたが、引張りコイルばね又は圧縮コイルばね等であってもよい。
【図面の簡単な説明】
【００１８】
【図１】本考案実施形態の点滴用包装容器の吊下げ具を示す図２にＡ−Ａ線断面図である。
【図２】図１のＢ−Ｂ線断面図である。
【符号の説明】
【００１９】
１０  点滴用包装容器の吊下げ具
１１  点滴用包装容器
１２  壁面
１３  ベース
１４  支軸
１６  フック
１６ａ  フックの基端部
１６ｂ  フックの引っ掛け部
１７  捩りコイルばね（弾性体）
１８  ダンパ
１８ａ  第１歯車
１８ｂ  第２歯車
１８ｃ  減衰手段
【図１】
0003133686.tif 000003
【図２】
0003133686.tif 000004